【手続補正書】
【提出日】平成27年9月4日(2015.9.4)
【手続補正１】
【補正対象書類名】特許請求の範囲
【補正対象項目名】全文
【補正方法】変更
【補正の内容】
【特許請求の範囲】
【請求項１】
無線通信システム内でブロードキャストデータを受信するための方法であって、
単一周波数ネットワークが採用されているかどうかを検出することと、
前記単一周波数ネットワークが採用されていることが検出される場合に、一次同報チャンネルを復号するために長いサイクリックプレフィックスおよび高密度ダウンリンク参照構造信号を使用することと、
前記単一周波数ネットワークが検出されない場合に、前記一次同報チャンネルの前記復号を最適化するために前記長いサイクリックプレフィックスおよび前記高密度ダウンリンク参照構造信号を変更することと、
を備える方法。
【請求項２】
二次同報チャンネルを復号する前に前記一次同報チャンネルを復号すること、
をさらに備え、
前記一次同報チャンネルからのパラメータデータの復号は、前記二次同報チャンネルのパラメータデータの送信帯域幅の表示を提供する、
請求項１に記載の方法。
【請求項３】
前記一次同報チャンネルのパラメータデータは、システムパラメータを備え、二次同報チャンネルは、セルパラメータを備える、請求項１に記載の方法。
【請求項４】
静的データが前記一次同報チャンネル上で送信される、請求項１に記載の方法。
【請求項５】
前記静的データは、ダウンリンク/アップリンクシステム帯域幅情報、調節パルス（ＣＰ）期間、または、マルチメディア同報多重サービス（ＭＢＭＳ）関連情報、のうちの少なくとも１つを備える、請求項４に記載の方法。
【請求項６】
半静的データまたは動的データが二次同報チャンネル上で送信される、請求項１に記載の方法。
【請求項７】
前記半静的データまたは動的データは、システムフレーム番号、ランダムアクセス（ＲＡＣＨ）関連パラメータ、アップリンク（ＵＬ）共有データチャンネルのためのシステム情報、ダウンリンク（ＤＬ）共有データチャンネルのためのシステム情報、またはスケジューリング関連情報、のうちの少なくとも１つを備える、請求項６に記載の方法。
【請求項８】
前記検出することは、電源投入に伴ってユーザ機器によって実行される、請求項１に記載の方法。
【請求項９】
同期チャンネル送信帯域幅に等しい前記一次同報チャンネル送信帯域幅を初期設定すること、
をさらに備える請求項８に記載の方法。
【請求項１０】
前記一次同報チャンネルを同時に送信した異なる基地局から複数の信号を受信すること、
をさらに備える請求項１に記載の方法。
【請求項１１】
無線通信システム内でブロードキャストデータを受信するための装置であって、
単一周波数ネットワークが採用されているかどうかを検出するための手段と、
前記単一周波数ネットワークが検出される場合に、一次同報チャンネルを復号するために長いサイクリックプレフィックスおよび高密度ダウンリンク参照構造信号を使用するための手段と、
前記単一周波数ネットワークが検出されない場合に、前記一次同報チャンネルの前記復号を最適化するために前記長いサイクリックプレフィックスおよび前記高密度ダウンリンク参照構造信号を変更するための手段と、
を備える装置。
【請求項１２】
二次同報チャンネルを復号する前に前記一次同報チャンネルを復号するための手段、
をさらに備え、
前記一次同報チャンネルからのパラメータデータの復号は、前記二次同報チャンネルのパラメータデータの送信帯域幅の表示を提供する、
請求項１１に記載の装置。
【請求項１３】
前記一次同報チャンネルのパラメータデータは、システムパラメータを備え、二次同報チャンネルがセルパラメータを備える、請求項１１に記載の装置。
【請求項１４】
静的データが前記一次同報チャンネル上で送信される、請求項１１に記載の装置。
【請求項１５】
前記静的データは、ダウンリンク/アップリンクシステム帯域幅情報、調節パルス（ＣＰ）期間、または、マルチメディア同報多重サービス（ＭＢＭＳ）関連情報、のうちの少なくとも１つを備える、請求項１４に記載の装置。
【請求項１６】
半静的データまたは動的データが二次同報チャンネル上で送信される、請求項１１に記載の装置。
【請求項１７】
前記半静的データまたは動的データは、システムフレーム番号、ランダムアクセス（ＲＡＣＨ）関連パラメータ、アップリンク（ＵＬ）共有データチャンネルのためのシステム情報、ダウンリンク（ＤＬ）共有データチャンネルのためのシステム情報、またはスケジューリング関連情報、のうちの少なくとも１つを備える、請求項１６に記載の装置。
【請求項１８】
前記検出するための手段による検出することは、電源投入に伴ってユーザ機器によって実行される、請求項１１に記載の装置。
【請求項１９】
同期チャンネル送信帯域幅に等しい前記一次同報チャンネル送信帯域幅を初期設定するための手段、
をさらに備える請求項１８に記載の装置。
【請求項２０】
前記一次同報チャンネルを同時に送信した異なる基地局から複数の信号を受信するための手段、
をさらに備える請求項１１に記載の装置。
【請求項２１】
無線通信システム内でブロードキャストデータを受信するように構成されたユーザ機器（ＵＥ）であって、
単一周波数ネットワークが採用されているかどうかを検出するように構成されたネットワーク検出要素、
を備え、
前記ＵＥは、前記単一周波数ネットワークが検出される場合に、一次同報チャンネルを復号するために長いサイクリックプレフィックスおよび高密度ダウンリンク参照構造信号を使用し、前記単一周波数ネットワークが検出されない場合に、前記一次同報チャンネルの前記復号を最適化するために前記長いサイクリックプレフィックスおよび前記高密度ダウンリンク参照構造信号を変更するように構成されている、
ＵＥ。
【請求項２２】
前記ＵＥは、二次同報チャンネルを復号する前に前記一次同報チャンネルを復号するようにさらに構成され、前記一次同報チャンネルからのパラメータデータの復号は、前記二次同報チャンネルのパラメータデータの送信帯域幅の表示を提供する、請求項２１に記載のＵＥ。
【請求項２３】
前記一次同報チャンネルのパラメータデータは、システムパラメータを備え、二次同報チャンネルは、セルパラメータを備える、請求項２１に記載のＵＥ。
【請求項２４】
前記ＵＥは、電源投入に伴って前記単一周波数ネットワークを検出するように、さらに構成されている請求項２１に記載のＵＥ。
【請求項２５】
前記ＵＥは、同期チャンネル送信帯域幅に等しい前記一次同報チャンネル送信帯域幅を初期設定するように、さらに構成されている請求項２４に記載のＵＥ。
【請求項２６】
無線通信システム内でブロードキャストデータを受信するためのコンピュータ実行可能な命令を記憶したコンピュータ読み出し可能な記憶媒体であって、
前記命令は、
アクセスネットワークが単一周波数ネットワークが採用されているかどうかを検出するための命令と、
前記単一周波数ネットワークが検出される場合に、一次同報チャンネルを復号するために長いサイクリックプレフィックスおよび高密度ダウンリンク参照構造信号を使用するための命令と、
前記単一周波数ネットワークが検出されない場合に、前記一次同報チャンネルの前記復号を最適化するために前記長いサイクリックプレフィックスおよび前記高密度ダウンリンク参照構造信号を変更するための命令と、
を備える、
コンピュータ読み出し可能な記憶媒体。